(57)【要約】【課題】  受信側に専用のソフトウェアを用意しなくても送信側だけで簡単にパスワードの秘匿性を高めた通信を実現できるようにすることを課題とする。【解決手段】  サーバ１は、ネットワークを介してデジタルコンテンツ（シェアウェアなどのアプリケーションプログラム、壁紙、着信メロディ、音楽など）の販売ページを提供するＥＣ（電子商取引）サイトを提供する。このサーバ１は、各端末を介して顧客が購入したデジタルコンテンツを配信後、そのデジタルコンテンツに対応する利用キー、すなわちパスワードを発行する。【選択図】      図１
2005135256.tif 000002
【特許請求の範囲】
【請求項１】
ネットワークを介して電子商取引を行う際のパスワード通信システムであって、
メールアドレスを含む顧客情報を記憶する第１記憶手段と、
デジタルコンテンツごとにロックを解除するためのパスワードを対応付けて記憶する第２記憶手段と、
前記第１記憶手段を参照して端末からの要求に応じて前記ネットワークを介してデジタルコンテンツを配信する配信手段と、
前記配信手段で配信されたデジタルコンテンツのロックを解除するためのパスワードを前記第２記憶手段から読み出して画像データに変換する画像変換手段と、
前記第１記憶手段を参照して前記配信手段で配信したデジタルコンテンツを購入した顧客のメールアドレスを読み出し、当該メールアドレスに対して前記画像変換手段で得られた画像データを添付したメールを作成するメール作成手段と、
前記メール作成手段で作成されたメールを送信するメール送信手段と、
を備えたことを特徴とするパスワード通信システム。
【請求項２】
ネットワークを介して電子商取引を行うサーバのコンピュータで実行可能なパスワード通信プログラムであって、
前記コンピュータに、
メールアドレスを含む顧客情報を記憶する第１記憶手段を参照して端末からの要求に応じて前記ネットワークを介してデジタルコンテンツを配信する第１ステップと、
前記第１ステップで配信されたデジタルコンテンツのロックを解除するためのパスワードをデジタルコンテンツごとにロックを解除するためのパスワードを対応付けて記憶する第２記憶手段から読み出して画像データに変換する第２ステップと、
前記第１記憶手段を参照して前記第１ステップで配信したデジタルコンテンツを購入した顧客のメールアドレスを読み出し、当該メールアドレスに対して前記第２ステップで得られた画像データを添付したメールを作成する第３ステップと、
前記第３ステップで作成されたメールを送信する第４ステップと、
を実行させることを特徴とするパスワード通信プログラム。
【請求項３】
ネットワークを介して電子商取引を行う際のパスワード通信方法であって、
メールアドレスを含む顧客情報を記憶する第１記憶手段を参照して端末からの要求に応じて前記ネットワークを介してデジタルコンテンツを配信する第１ステップと、
前記第１ステップで配信されたデジタルコンテンツのロックを解除するためのパスワードをデジタルコンテンツごとにロックを解除するためのパスワードを対応付けて記憶する第２記憶手段から読み出して画像データに変換する第２ステップと、
前記第１記憶手段を参照して前記第１ステップで配信したデジタルコンテンツを購入した顧客のメールアドレスを読み出し、当該メールアドレスに対して前記第２ステップで得られた画像データを添付したメールを作成する第３ステップと、
前記第３ステップで作成されたメールを送信する第４ステップと、
を含むことを特徴とするパスワード通信方法。
【請求項４】
ネットワークを介してログイン制御を行うためのパスワード通信システムであって、
メールアドレスを含む利用者情報を記憶する第１記憶手段と、
利用者ごとにログインを許可するためのパスワードを対応付けて記憶する第２記憶手段と、
前記第１記憶手段を参照して正規の利用者に供給すべきパスワードを前記第２記憶手段から読み出して画像データに変換する画像変換手段と、
前記第１記憶手段を参照して前記正規の利用者のメールアドレスを読み出し、当該メールアドレスに対して前記画像変換手段で得られた画像データを添付したメールを作成するメール作成手段と、
前記メール作成手段で作成されたメールを送信するメール送信手段と、
ネットワークを介して端末よりログイン要求があった場合、前記第２記憶手段を参照して当該端末から受け付けたパスワードを照合する照合手段と、
前記照合手段の結果に応じてログイン可否を通知する通知手段と、
を備えたことを特徴とするパスワード通信システム。
【請求項５】
ネットワークを介してログイン制御を行うサーバのコンピュータで実行可能なパスワード通信プログラムであって、
前記コンピュータに、
メールアドレスを含む利用者情報を記憶する第１記憶手段を参照して正規の利用者に供給すべきパスワードを利用者ごとにログインを許可するためのパスワードを対応付けて記憶する第２記憶手段から読み出して画像データに変換する第１ステップと、
前記第１記憶手段を参照して前記正規の利用者のメールアドレスを読み出し、当該メールアドレスに対して前記第１ステップで得られた画像データを添付したメールを作成する第２ステップと、
前記第２ステップで作成されたメールを送信する第３ステップと、
前記ネットワークを介して端末よりログイン要求があった場合、前記第２記憶手段を参照して当該端末から受け付けたパスワードを照合する第４ステップと、
前記第４ステップの結果に応じてログイン可否を通知する第５ステップと、
を実行させることを特徴とするパスワード通信プログラム。
【請求項６】
ネットワークを介してログイン制御を行う際のパスワード通信方法であって、
メールアドレスを含む利用者情報を記憶する第１記憶手段を参照して正規の利用者に供給すべきパスワードを利用者ごとにログインを許可するためのパスワードを対応付けて記憶する第２記憶手段から読み出して画像データに変換する第１ステップと、
前記第１記憶手段を参照して前記正規の利用者のメールアドレスを読み出し、当該メールアドレスに対して前記第１ステップで得られた画像データを添付したメールを作成する第２ステップと、
前記第２ステップで作成されたメールを送信する第３ステップと、
前記ネットワークを介して端末よりログイン要求があった場合、前記第２記憶手段を参照して当該端末から受け付けたパスワードを照合する第４ステップと、
前記第４ステップの結果に応じてログイン可否を通知する第５ステップと、
を含むことを特徴とするパスワード通信方法。
【発明の詳細な説明】
【技術分野】
【０００１】
本発明は、パスワード通信システム、パスワード通信プログラムおよびパスワード通信方法に関するものである。
【背景技術】
【０００２】
端末からネットワークを介してサーバにアクセスする場合には、一般的に、パスワードなどの認証情報に基づいてユーザの正当性が判断されている。これにより、正規のユーザに対してアクセスが許可される。
【０００３】
また、インターネットを通じてソフトウェアを販売する場合においても、サーバから端末にダウンロードされたソフトウェアを正規のユーザが使用するためには、パスワードなどの認証情報を入力する必要がある。
【０００４】
以上のような形態の場合には、ユーザに対してパスワードを通知する手続きが必要なる。パスワードの通知においては、郵送、メール、ファクシミリなどの送付手段がある。送付先のユーザにおいてメールを利用することが可能であれば、メール本文にパスワードを挿入することが多々ある（特許文献１）。
【特許文献１】特開２００３−２５６６７０号公報
【発明の開示】
【発明が解決しようとする課題】
【０００５】
今日、機密性の高い情報をメールなどで通信する場合には、暗号化などの手法により秘匿性を高めたり、インプラント技術により画像に埋め込んで秘匿性を高めた通信が行われている。
【０００６】
ところが、この種の通信においては、送信側と受信側にそれぞれ暗号化、復号化の処理が必要であった。それゆえ、送信側と受信側にそれぞれ専用のソフトウェアを搭載しておく必要があり、ユーザ数によってはシステムとしての規模が大きくなるという危惧があった。これにともなって、コストの不当も増す虞があった。
【０００７】
本発明の目的は、受信側に専用のソフトウェアを用意しなくても送信側だけで簡単にパスワードの秘匿性を高めた通信を実現することが可能なパスワード通信システム、パスワード通信プログラムおよびパスワード通信方法を提供することにある。
【課題を解決するための手段】
【０００８】
上述した課題を解決し、上記目的を達成するため、請求項１の発明に係るパスワード通信システムは、ネットワークを介して電子商取引を行う際のパスワード通信システムであって、メールアドレスを含む顧客情報を記憶する第１記憶手段と、デジタルコンテンツごとにロックを解除するためのパスワードを対応付けて記憶する第２記憶手段と、前記第１記憶手段を参照して端末からの要求に応じて前記ネットワークを介してデジタルコンテンツを配信する配信手段と、前記配信手段で配信されたデジタルコンテンツのロックを解除するためのパスワードを前記第２記憶手段から読み出して画像データに変換する画像変換手段と、前記第１記憶手段を参照して前記配信手段で配信したデジタルコンテンツを購入した顧客のメールアドレスを読み出し、当該メールアドレスに対して前記画像変換手段で得られた画像データを添付したメールを作成するメール作成手段と、前記メール作成手段で作成されたメールを送信するメール送信手段と、を備えたことを特徴とするものである。
【０００９】
また、請求項２の発明に係るパスワード通信プログラムは、ネットワークを介して電子商取引を行うサーバのコンピュータで実行可能なパスワード通信プログラムであって、前記コンピュータに、メールアドレスを含む顧客情報を記憶する第１記憶手段を参照して端末からの要求に応じて前記ネットワークを介してデジタルコンテンツを配信する第１ステップと、前記第１ステップで配信されたデジタルコンテンツのロックを解除するためのパスワードをデジタルコンテンツごとにロックを解除するためのパスワードを対応付けて記憶する第２記憶手段から読み出して画像データに変換する第２ステップと、前記第１記憶手段を参照して前記第１ステップで配信したデジタルコンテンツを購入した顧客のメールアドレスを読み出し、当該メールアドレスに対して前記第２ステップで得られた画像データを添付したメールを作成する第３ステップと、前記第３ステップで作成されたメールを送信する第４ステップと、を実行させることを特徴とするものである。
【００１０】
また、請求項３の発明に係るパスワード通信方法は、ネットワークを介して電子商取引を行う際のパスワード通信方法であって、メールアドレスを含む顧客情報を記憶する第１記憶手段を参照して端末からの要求に応じて前記ネットワークを介してデジタルコンテンツを配信する第１ステップと、前記第１ステップで配信されたデジタルコンテンツのロックを解除するためのパスワードをデジタルコンテンツごとにロックを解除するためのパスワードを対応付けて記憶する第２記憶手段から読み出して画像データに変換する第２ステップと、前記第１記憶手段を参照して前記第１ステップで配信したデジタルコンテンツを購入した顧客のメールアドレスを読み出し、当該メールアドレスに対して前記第２ステップで得られた画像データを添付したメールを作成する第３ステップと、前記第３ステップで作成されたメールを送信する第４ステップと、を含むことを特徴とするものである。
【００１１】
また、請求項４の発明に係るパスワード通信システムは、ネットワークを介してログイン制御を行うためのパスワード通信システムであって、メールアドレスを含む利用者情報を記憶する第１記憶手段と、利用者ごとにログインを許可するためのパスワードを対応付けて記憶する第２記憶手段と、前記第１記憶手段を参照して正規の利用者に供給すべきパスワードを前記第２記憶手段から読み出して画像データに変換する画像変換手段と、前記第１記憶手段を参照して前記正規の利用者のメールアドレスを読み出し、当該メールアドレスに対して前記画像変換手段で得られた画像データを添付したメールを作成するメール作成手段と、前記メール作成手段で作成されたメールを送信するメール送信手段と、ネットワークを介して端末よりログイン要求があった場合、前記第２記憶手段を参照して当該端末から受け付けたパスワードを照合する照合手段と、前記照合手段の結果に応じてログイン可否を通知する通知手段と、を備えたことを特徴とするものである。
【００１２】
また、請求項５の発明に係るパスワード通信プログラムは、ネットワークを介してログイン制御を行うサーバのコンピュータで実行可能なパスワード通信プログラムであって、前記コンピュータに、メールアドレスを含む利用者情報を記憶する第１記憶手段を参照して正規の利用者に供給すべきパスワードを利用者ごとにログインを許可するためのパスワードを対応付けて記憶する第２記憶手段から読み出して画像データに変換する第１ステップと、前記第１記憶手段を参照して前記正規の利用者のメールアドレスを読み出し、当該メールアドレスに対して前記第１ステップで得られた画像データを添付したメールを作成する第２ステップと、前記第２ステップで作成されたメールを送信する第３ステップと、前記ネットワークを介して端末よりログイン要求があった場合、前記第２記憶手段を参照して当該端末から受け付けたパスワードを照合する第４ステップと、前記第４ステップの結果に応じてログイン可否を通知する第５ステップと、を実行させることを特徴とするものである。
【００１３】
また、請求項６の発明に係るパスワード通信方法は、ネットワークを介してログイン制御を行う際のパスワード通信方法であって、メールアドレスを含む利用者情報を記憶する第１記憶手段を参照して正規の利用者に供給すべきパスワードを利用者ごとにログインを許可するためのパスワードを対応付けて記憶する第２記憶手段から読み出して画像データに変換する第１ステップと、前記第１記憶手段を参照して前記正規の利用者のメールアドレスを読み出し、当該メールアドレスに対して前記第１ステップで得られた画像データを添付したメールを作成する第２ステップと、前記第２ステップで作成されたメールを送信する第３ステップと、前記ネットワークを介して端末よりログイン要求があった場合、前記第２記憶手段を参照して当該端末から受け付けたパスワードを照合する第４ステップと、前記第４ステップの結果に応じてログイン可否を通知する第５ステップと、を含むことを特徴とするものである。
【発明の効果】
【００１４】
本発明によれば、受信側に専用のソフトウェアを用意しなくても送信側だけで簡単にパスワードの秘匿性を高めた通信を実現することが可能なパスワード通信システム、パスワード通信プログラムおよびパスワード通信方法を提供することが可能である。
【発明を実施するための最良の形態】
【００１５】
以下、添付図面を参照して本発明に係る一実施の形態を詳述する。
（実施の形態１）
まず実施の形態１について説明する。図１は本発明の実施の形態１によるパスワード通信システムを示す構成図である。このパスワード通信システムは、たとえば図１に示したように、サーバ１とインターネット６のようにネットワークを介してＰＣ（パーソナルコンピュータ）２などの端末と通信したり、サーバ１と基地局４、移動体通信網５およびインターネット６のようにネットワークを介して携帯電話３などの通信端末と通信し、サーバ１から発行されたパスワードを画像化して目的とする端末に対して配布するものである。
【００１６】
サーバ１は、ネットワークを介してデジタルコンテンツ（シェアウェアなどのアプリケーションプログラム、壁紙、着信メロディ、音楽など）の販売ページを提供するＥＣ（電子商取引）サイトを提供する。このサーバ１は、各端末を介して顧客が購入したデジタルコンテンツを配信後、そのデジタルコンテンツに対応する利用キー、すなわちパスワードを発行する。
【００１７】
ＰＣ２は、ディスプレイ２１、操作入力部２２、ネットワーク（インターネット６）を介してウェブ閲覧するためのブラウザソフト、メール交換用のメーラーソフトなどを具備している。ＰＣ２では、ネットワークを介してサーバ１が提供するＥＣサイトにアクセスし、所望のデジタルコンテンツを購入後、サーバ１よりパスワードを受け取ることにより、デジタルコンテンツを機能させることができる。
【００１８】
携帯電話３は、ディスプレイ３１および操作入力部３２のほか、ネットワーク（基地局４、移動体通信網５およびインターネット６）を介してウェブ閲覧するためのブラウザソフト、メール交換用のメーラーソフトなどを具備している。携帯電話３では、ネットワークを介してサーバ１が提供するＥＣサイトにアクセスし、所望のデジタルコンテンツを購入後、サーバ１よりパスワードを受け取ることにより、デジタルコンテンツを機能させることができる。
【００１９】
移動体通信網５は、複数の基地局（たとえば基地局４）を接続させ、携帯電話の無線通信網を構築するものであり、図示せぬゲートサーバによりインターネット6に接続される。
【００２０】
つぎに、本実施の形態１を機能的に説明する。図２は本実施の形態１によるパスワード通信システムの機能を説明するためのブロック図、図３は本実施の形態１によるパスワード通信システムのサーバ構成例を示すブロック図、図４は本実施の形態１によるユーザ管理の一例を説明する図、図５は本実施の形態１による受信画面例を説明する図、そして、図６は本実施の形態１による動作を説明するフローチャートである。ここでは、端末側の代表としてＰＣ２を例に挙げるが、携帯電話３においても同様である。また、デジタルコンテンツのうちシェアウェアを例に挙げるが、着信メロディなどの他のデジタルコンテンツについても同様である。
【００２１】
サーバシステムは、サーバ１、シェアウェア管理データベース１１、ユーザ管理データベース１２により構成される。サーバ１は、たとえば図２に示したように、シェアウェア購入受付部１０１、シェアウェア購入確定部１０２、シェアウェア送信部１０３、パスワード発行および登録部１０４、文字列−画像変換部１０５、パスワード添付メール作成部１０６およびパスワード添付メール送信部１０７などにより構成される。
【００２２】
ＰＣ２は、たとえば図２に示したように、シェアウェア購入要求部２０１、ダウンロード処理部２０２、メモリ２０３、パスワード登録部２０４、シェアウェア実行部２０５、メール受信部２０６、メール開封処理部２０７、ディスプレイ２１、操作入力部２２などにより構成される。
【００２３】
サーバ１は、たとえば図３に示したように、ハードウェア的には、インターネット６に接続され、インターネット６を介して他の装置との通信を制御する通信制御部１３、サーバ全体の制御を司るＣＰＵ、制御のためのプログラムを格納したＲＯＭ、記憶領域に各種のデータを記憶するメモリなどを有する制御部１４、シェアウェア管理ＤＢ１１やユーザ管理ＤＢ１２に接続されるＤＢインタフェース１５などを備えている。
【００２４】
前述のシェアウェア購入受付部１０１、シェアウェア購入確定部１０２、シェアウェア送信部１０３、パスワード発行および登録部１０４、文字列−画像変換部１０５、パスワード添付メール作成部１０６およびパスワード添付メール送信部１０７は、制御部１４により実行される。
【００２５】
シェアウェア管理ＤＢ１１は、販売商品であるシェアウェア（アプリケーションログラム）を蓄積しており、制御部１４により指定されるシェアウェアを読み出し可能である。
【００２６】
ユーザ管理ＤＢ１２は、たとえば図４に示したように、シェアウェアの購入が確定すると、レコードが追加されるように構成される。たとえば、ユーザｘｘｘｘの場合には、２００３年１０月２４日にシェアウェアを購入し、そのシェアウェアの利用キーであるパスワードは“２７ＫＶＬＮ”となる。
【００２７】
ユーザｘｘｘｘに対してメールでパスワードを配布するため、対応させてメールアドレス“ｘｘｘｘ＠ａａａ．ｃｏｍ”が登録される。同様に、ユーザｙｙｙｙの場合には、２００３年１０月２５日にシェアウェアを購入し、そのシェアウェアの利用キーであるパスワードは“２９ＫＶＬＭ”となる。ユーザｙｙｙｙに対してメールでパスワードを配布するため、対応させてメールアドレス“ｙｙｙｙ＠ｂｂｂ．ｃｏｍ”が登録される。
【００２８】
ここで、図２の機能構成、図５の画面遷移および図６の動作説明を用いて処理の流れについて説明する。たとえばＰＣ２では、ユーザにより操作入力部２２が操作され、購入希望のシェアウェアが特定されると、シェアウェア購入要求部２０１によりサーバ１に対して所望のシェアウェアについて購入要求（購入希望商品の指定など）が発行される（ステップＳ２１）。
【００２９】
このとき、サーバ１では、シェアウェア購入受付部１０１により購入要求が受け付けられ、シェアウェア購入確定部１０２により購入対象のシェアウェアが確定される。すなわち、サーバ１では、ユーザのＰＣ２からのアクセスが受け付けられると（ステップＳ１１）、そのアクセスに応じてシェアウェア購入画面が準備され、ＰＣ２に対して送信される（ステップＳ１２）。
【００３０】
ＰＣ２では、シェアウェア購入画面が受信されると、図５（Ａ）のように表示が行われる（ステップＳ２２）。シェアウェア購入画面には、各種の商品（シェアウェア）が金額と対応付け、ラジオボタンにより選択可能に表示される（図５（Ａ））。たとえば、ユーザの操作により時計アプリが選択された場合には、購入アイコンＩＣ１の操作によりつづいて確認画面（図５（Ｂ））が表示され、サーバ１とＰＣ２間でシェアウェア購入手続きが実行される（ステップＳ１３、ステップＳ２３）。
【００３１】
その後、サーバ１では、確認画面が準備され、ＰＣ２に対して送信される（ステップＳ１４）。ＰＣ２では、確認画面が受信されると、図５（Ｂ）のように表示される（ステップＳ２４）。ユーザにより確認アイコンＩＣ２の操作がなされると確認操作がサーバ１に対して通知される（ステップＳ２５）。サーバ１では、購入確認が受け付けられると（ステップＳ１５）、購入通知画面が準備され、送信される（ステップＳ１６）。
【００３２】
ＰＣ２では、購入通知画面が受信されると、図５（Ｃ）のように表示が行われる（ステップＳ２６）。このようにして購入手続きが完了すると、図２に示したように、サーバ１では、シェアウェア送信部１０３により購入商品のシェアウェアがシェアウェア管理ＤＢ１１より読み出され、ＰＣ２に対して送信される。ＰＣ２では、ダウンロード処理部２０２によりダウンロードが開始され、メモリ２０３に格納される。
【００３３】
この後、サーバ１では、パスワード発行および登録部１０４によりパスワードが発行され、図４の一例のようにユーザ管理ＤＢ１２に登録される（ステップＳ１７）。そして、発行されたパスワードは文字列−画像変換部１０５により文字列から画像データ（ＪＰＥＧ、ＧＩＦ、ＰＮＧなど）に変換される（ステップＳ１８）。
【００３４】
このようにして準備されたパスワード（画像データ）は、パスワード添付メール作成部１０６によりメールに添付される。このとき、該当するメールアドレス（宛先）はユーザ管理ＤＢ１２から読み出される。そして、パスワード添付メール送信部１０７によりパスワード添付メールが宛先に向けて送信される（ステップＳ１９）。
【００３５】
ＰＣ２では、メーラであるメール受信部２０６によりパスワード添付メールが受信されると、ユーザによる操作入力部２２の操作にしたがってメール開封処理部２０７により開封される。このようにして開封されたメールは、ディスプレイ２１に表示される（ステップＳ２７）。たとえば図５（Ｄ）のように、パスワードは画像ＩＭＧ１として表示される。
【００３６】
ＰＣ２側では、操作入力部２２の操作によりシェアウェアのインストール時にパスワード登録部２０４によりが画像ＩＭＧ１に示される“ＡＢＣＤＥＦＧＨ”を入力して登録することにより（ステップＳ２８）、ユーザは購入したシェアウェアを利用することができる。
（実施の形態２）
【００３７】
つづいて実施の形態２について説明する。図７は本発明の実施の形態２によるパスワード通信システムを示す構成図である。このパスワード通信システムは、たとえば図７に示したように、パスワード発行サーバ７、開発用サーバ８とインターネット６のようにネットワークを介してＰＣ（パーソナルコンピュータ）２などの端末と通信したり、サーバ１と基地局４、移動体通信網５およびインターネット６のようにネットワークを介して携帯電話３などの通信端末と通信し、パスワード発行サーバ７から発行されたパスワードを画像化して目的とする端末に対して配布し、開発用サーバ８にアクセス可能にするものである。
【００３８】
パスワード発行サーバ７は、ネットワークを介して開発用サーバ８にアクセスするためのパスワードを発行するものであり、開発用サーバ８は、正規のパスワードによりアクセスを許可し、ネットワークを介して開発を進行させるものである。ＰＣ２，携帯電話３、基地局４、移動体通信網５は前述の通りであり、説明を省略する。
【００３９】
つぎに、本実施の形態２を機能的に説明する。図８は本実施の形態２によるパスワード通信システムの機能を説明するためのブロック図、図９は本実施の形態２によるユーザ管理の一例を説明する図、図１０は本実施の形態２による受信画面例を説明する図、そして、図１１および図１２は本実施の形態２による動作を説明するフローチャートである。ここでは、端末側の代表として携帯電話３を例に挙げるが、ＰＣ２においても同様である。
【００４０】
サーバシステムは、パスワード発行サーバ７、開発用サーバ８、ユーザ管理データベース７１により構成される。パスワード発行サーバ７は、たとえば図８に示したように、パスワード発行および登録部７０１、文字列−画像変換部７０２、パスワード添付メール作成部７０３およびパスワード添付メール送信部７０４などにより構成される。開発用サーバ８は、例えば図８に示したように、アクセス受付部８０１、パスワード受付および照合部８０２、ログイン通知処理部８０３などにより構成される。
【００４１】
ＰＣ２は、たとえば図８に示したように、メール受信部３０１、メール開封処理部３０２、アクセス通信部３０３、パスワード入力および送信部３０４、通知受付部３０５、ディスプレイ３１、操作入力部３２などにより構成される。
【００４２】
パスワード発行サーバ７、開発用サーバ８は、図示せぬが、いずれもハードウェア的には、インターネット６に接続され、インターネット６を介して他の装置との通信を制御する通信制御部、サーバ全体の制御を司るＣＰＵ、制御のためのプログラムを格納したＲＯＭ、記憶領域に各種のデータを記憶するメモリなどを有する制御部、ユーザ管理ＤＢ１２に接続されるＤＢインタフェースなどを備えている。
【００４３】
パスワード発行サーバ７において、前述のパスワード発行および登録部７０１、文字列−画像変換部７０２、パスワード添付メール作成部７０３およびパスワード添付メール送信部７０４は、同サーバ内の制御部により実行される。開発用サーバ８において、前述のアクセス受付部８０１、パスワード受付および照合部８０２、ログイン通知処理部８０３は、同サーバ内の制御部により実行される。
【００４４】
ユーザ管理ＤＢ７１は、たとえば図９に示したように、パスワード発行に伴ってアクセス権を与える企業（ユーザ）のレコードが追加されるように構成される。たとえば、企業ｃｃｃの場合には、アクセスする担当者 “佐藤一郎”、アクセス権をもつ担当者に配布されるパスワードは“１２９８＃３Ｎ”となる。担当者“佐藤一郎”に対してメールでパスワードを配布するため、対応させてメールアドレス“ｓａｔ＠ｃｃｃ．ｃｏｍ”が登録される。
【００４５】
同様に、企業ｄｄｄの場合には、アクセスする担当者 “山田太郎”、アクセス権をもつ担当者に配布されるパスワードは“３４８６＃６Ｍ”となる。担当者“山田太郎”に対してメールでパスワードを配布するため、対応させてメールアドレス“ｙａｍ＠ｄｄｄ．ｃｏｍ”が登録される。
【００４６】
ここで、図８の機能構成、図１０の画面遷移および図１１および図１２の動作説明を用いて処理の流れについて説明する。パスワード発行サーバ７では、パスワード発行および登録部７０１によりパスワードが発行され、図９の一例のようにユーザ管理ＤＢ７１に登録される（ステップＳ３１）。そして、発行されたパスワードは文字列−画像変換部７０２により文字列から画像データ（ＪＰＥＧ、ＧＩＦ、ＰＮＧなど）に変換される（ステップＳ３２）。
【００４７】
このようにして準備されたパスワード（画像データ）は、パスワード添付メール作成部７０３によりメールに添付される。このとき、該当するメールアドレス（宛先）はユーザ管理ＤＢ７１から読み出される。そして、パスワード添付メール送信部７０４によりパスワード添付メールが宛先に向けて送信される（ステップＳ３３）。
【００４８】
携帯電話３では、メーラであるメール受信部３０１によりパスワード添付メールが受信されると、ユーザによる操作入力部３２の操作にしたがってメール開封処理部３０２により開封される。このようにして開封されたメールは、ディスプレイ３１に表示される（ステップＳ４１）。たとえば図１０のように、パスワードは画像ＩＭＧ２として表示される。
【００４９】
携帯電話３側では、操作入力部３２の操作でアクセス通信部３０３により開発用サーバ８へのアクセスが行われる（ステップＳ６１）。開発用サーバ８では、アクセス受付部８０１により携帯電話３からのアクセスが受け付けられると（ステップＳ５１）、ログイン画面が準備され、携帯電話３に対して送信される（ステップＳ５２）。
【００５０】
携帯電話３では、ログイン画面が受信され、ディスプレイ３１に表示される（ステップＳ６２）。このログイン画面には、パスワード入力欄が設けられるので、操作入力部３２の操作でパスワード入力および送信部３０４により入力されたパスワードが開発用サーバ８に対して送信される（ステップＳ６３）。
【００５１】
このようにして、開発用サーバ８では、パスワード受付および照合部８０２によりユーザ管理ＤＢ７１を参照してパスワードの照合による認証が実施される（ステップＳ５３）。照合結果、すなわち認証結果は、ログイン通知処理部８０３により携帯電話３に対して通知される（ステップＳ５４）。携帯電話３では、開発用サーバ８から送られてきた通知が受信されると、ディスプレイ３１に表示される（ステップＳ６４）。
【００５２】
ここで、ログイン結果の通知は、パスワード照合一致の結果が得られた場合にアクセスを許可する通知となり、一方、パスワード照合不一致の結果が得られた場合にアクセスを拒否する通知となる。
【産業上の利用可能性】
【００５３】
本発明は、パスワード通信システム、パスワード通信プログラムおよびパスワード通信方法を製造する産業で利用される。
【図面の簡単な説明】
【００５４】
【図１】本発明の実施の形態１によるパスワード通信システムを示す構成図である。
【図２】本実施の形態１によるパスワード通信システムの機能を説明するためのブロック図である。
【図３】本実施の形態１によるパスワード通信システムのサーバ構成例を示すブロック図である。
【図４】本実施の形態１によるユーザ管理の一例を説明する図である。
【図５】本実施の形態１による受信画面例を説明する図である。
【図６】本実施の形態１による動作を説明するフローチャートである。
【図７】本発明の実施の形態２によるパスワード通信システムを示す構成図である。
【図８】本実施の形態２によるパスワード通信システムの機能を説明するためのブロック図である。
【図９】本実施の形態２によるユーザ管理の一例を説明する図である。
【図１０】本実施の形態２による受信画面例を説明する図である。
【図１１】本実施の形態２によるパスワード発行時の動作を説明するフローチャートである。
【図１２】本実施の形態２によるログイン時の動作を説明するフローチャートである。
【符号の説明】
【００５５】
１  サーバ
２  ＰＣ
３  携帯電話
５  移動体通信網
６  インターネット
７  パスワード発行サーバ
８  開発用サーバ
１１  シェアウェア管理データベース
１２  ユーザ管理データベース
１３  通信制御部
１４  制御部
１５  ＤＢインタフェース
１０１  シェアウェア購入受付部
１０２  シェアウェア購入確定部
１０３  シェアウェア送信部
１０４  パスワード発行および登録部
１０５  文字列−画像変換部
１０６  パスワード添付メール作成部
１０７  パスワード添付メール送信部
７０１  パスワード発行および登録部
７０２  文字列−画像変換部
７０３  パスワード添付メール作成部
７０４  パスワード添付メール送信部
８０１  アクセス受付部
８０２  パスワード受付および照合部
８０３  ログイン通知処理部
【図１】
2005135256.tif 000003
【図２】
2005135256.tif 000004
【図３】
2005135256.tif 000005
【図４】
2005135256.tif 000006
【図５】
2005135256.tif 000007
【図６】
2005135256.tif 000008
【図７】
2005135256.tif 000009
【図８】
2005135256.tif 000010
【図９】
2005135256.tif 000011
【図１０】
2005135256.tif 000012
【図１１】
2005135256.tif 000013
【図１２】
2005135256.tif 000014